【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
入力装置と主制御部（ＣＰＵ）とラダープログラムとメモリと表示装置とを備え、かつプログラマブルコントローラが備えるデバイスのデータを参照し編集するためのデバイスデータ表示領域を前記表示装置に備えて成るプログラミング装置において、
前記ラダープログラムで使用されているデバイスの情報である使用済みデバイス情報と、
前記デバイスデータ表示領域に表示しているデバイスのうちの個々のデバイス（以後、「表示デバイス」と言う。）を前記使用済みデバイス情報から検索するデバイス検索部と、
前記表示デバイスが前記デバイス検索部によって見つからなかった場合は、前記表示デバイスの表示に、色、フォント、枠の太さ、ブリンク、ハッチングの組み合わせよりなるマーク表示を行ない、前記表示デバイスがデバイス検索部によって見つかった場合は、前記表示デバイスの表示に、前記表示デバイスが前記デバイス検索部によって見つからなかった場合とは異なるマーク表示を行なう、使用・未使用マーク表示制御部を備えたことを特徴とするプログラミング装置。
【請求項２】
前記使用済みデバイス情報は、個々の使用済みデバイスのデータ型も含んでおり、
前記表示デバイスが前記デバイス検索部によって見つかった場合、前記表示デバイスに関する一以上の使用済みデバイスのデータ型がすべて同一である場合と異なる場合とで相異なり、かつ前記表示デバイスが前記デバイス検索部によって見つからなかった場合のマーク表示とも異なるマーク表示を行なう、同・異種データマーク表示制御部を備えたことを特徴とする請求項１記載のプログラミング装置。
【請求項３】
前記使用済みデバイス情報は、個々の使用済みデバイスの種別とアドレスも含んでおり、
前記表示デバイスのうちの任意の使用済みデバイスを前記入力装置で選択すると、前記主制御部は、前記使用済みデバイス情報から、選択したデバイスと前記種別および前記アドレスが一致する使用済みデバイスを検索し、
見つかった全ての使用済みデバイスを一覧として表示することを特徴とする請求項１又は請求項２記載のプログラミング装置。
【請求項４】
前記使用済みデバイス情報は、個々の使用済みデバイスが使用されている場所を特定するためのプログラム位置情報も含んでおり、
前記表示デバイスのうちの任意の使用済みデバイスを前記入力装置で選択すると、前記主制御部は、前記使用済みデバイス情報から、選択したデバイスの前記プログラム位置情報を読み込み、一覧として表示することを特徴とする請求項１から請求項３のいずれか一項に記載のプログラミング装置。
【請求項５】
前記ラダープログラム中のデバイスを編集すると、前記使用済みデバイス情報を管理する使用済みデバイス情報管理部が、編集したデバイスを基に、前記使用済みデバイス情報を更新し、前記主制御部は、更新された前記使用済みデバイス情報によって前記デバイスデータ表示領域の使用状況のマーク表示を編集の後に更新することを特徴とする請求項１から請求項４のいずれか一項に記載のプログラミング装置。
【手続補正２】
【補正対象書類名】明細書
【補正対象項目名】０００６
【補正方法】変更
【補正の内容】
【０００６】
上記問題を解決するため、請求項１記載の発明はプログラミング装置に係り、入力装置と主制御部（ＣＰＵ）とラダープログラムとメモリと表示装置とを備え、かつプログラマブルコントローラが備えるデバイスのデータを参照し編集するためのデバイスデータ表示領域を前記表示装置に備えて成るプログラミング装置において、前記ラダープログラムで使用されているデバイスの情報である使用済みデバイス情報と、前記デバイスデータ表示領域に表示しているデバイスのうちの個々のデバイス（以後、「表示デバイス」と言う。）を前記使用済みデバイス情報から検索するデバイス検索部と、前記表示デバイスが前記デバイス検索部によって見つからなかった場合は、前記表示デバイスの表示に、色、フォント、枠の太さ、ブリンク、ハッチングの組み合わせよりなるマーク表示を行ない、前記表示デバイスがデバイス検索部によって見つかった場合は、前記表示デバイスの表示に、前記表示デバイスが前記デバイス検索部によって見つからなかった場合とは異なるマーク表示を行なう、使用・未使用マーク表示制御部を備えたことを特徴としている。
請求項２記載の発明は、請求項１記載のプログラミング装置において、前記使用済みデバイス情報は、個々の使用済みデバイスのデータ型も含んでおり、前記表示デバイスが前記デバイス検索部によって見つかった場合、前記表示デバイスに関する一以上の使用済みデバイスのデータ型がすべて同一である場合と異なる場合とで相異なり、かつ前記表示デバイスが前記デバイス検索部によって見つからなかった場合のマーク表示とも異なるマーク表示を行なう、同・異種データマーク表示制御部を備えたことを特徴としている。
請求項３記載の発明は、請求項１又は請求項２記載のプログラミング装置において、前記使用済みデバイス情報は、個々の使用済みデバイスの種別とアドレスも含んでおり、前記表示デバイスのうちの任意の使用済みデバイスを前記入力装置で選択すると、前記主制御部は、前記使用済みデバイス情報から、選択したデバイスと前記種別および前記アドレスが一致する使用済みデバイスを検索し、見つかった全ての使用済みデバイスを一覧として表示することを特徴としている。
請求項４記載の発明は、請求項１から請求項３のいずれか一項に記載のプログラミング装置において、前記使用済みデバイス情報は、個々の使用済みデバイスが使用されている場所を特定するためのプログラム位置情報も含んでおり、前記表示デバイスのうちの任意の使用済みデバイスを前記入力装置で選択すると、前記主制御部は、前記使用済みデバイス情報から、選択したデバイスの前記プログラム位置情報を読み込み、一覧として表示することを特徴としている。
請求項５記載の発明は、請求項１から請求項４のいずれか一項に記載のプログラミング装置において、前記ラダープログラム中のデバイスを編集すると、前記使用済みデバイス情報を管理する使用済みデバイス情報管理部が、編集したデバイスを基に、前記使用済みデバイス情報を更新し、前記主制御部は、更新された前記使用済みデバイス情報によって前記デバイスデータ表示領域の使用状況のマーク表示を編集の後に更新することを特徴としている。
【手続補正３】
【補正対象書類名】明細書
【補正対象項目名】０００７
【補正方法】変更
【補正の内容】
【０００７】
請求項１〜２記載の発明によると、ラダープログラムのデバイスの使用状況を、デバイスデータ表示領域に色をつけてマークとして表示することにより、容易にデバイスの使用状況を直感的に把握することができる。例えば、未使用のデバイスでラダープログラムに機能追加する場合は、未使用のマークを表示しているデバイスを即座に見つけ出すことができ、また、デバイスの使用ミスにより、ラダープログラムが正常に動作しない場合は、異なるデータ型で使用済みのマークを表示しているデバイスを即座に見つけ出すことができるという効果がある。
請求項３〜４記載の発明によると、使用済みデバイスを一覧として表示し、そのデバイス一覧から任意にデバイスを選択すると、プログラムで使用されている位置情報を一覧で表示することにより、使用されているプログラムの場所を即座に特定できるという効果がある。
請求項５記載の発明によると、ラダープログラム中のデバイスを編集すると同時に、使用済みデバイス情報を更新し、デバイスデータ表示領域の使用状況のマークをリアルタイムに更新することにより、常に最新の状態でプログラムのデバイス使用状況を把握することができるという効果がある。